(57)【要約】【課題】電線路に対して取付け手順通りに操作され、取外し手順通りに操作される短絡接地器具を提供する。【解決手段】絶縁棒１に取り付けられたフック部３と、アース部材に取り付けられる端子部５と、フック部３と端子部５とを電気的に接続するアース線７と、フック部３と端子部５とに挿し込み可能な共通キー９と、を備える。共通キー９が端子部５に挿し込まれているときに端子部５はアース部材に固定可能である。端子部５がアース部材に固定されているときに共通キー９は端子部５から引き抜き可能である。共通キー９がフック部３に差し込まれているときにフック部３は開閉可能である。フック部３が開いているときに共通キー９はフック部３から引き抜き可能である。【選択図】図１
2018057247.tif 000002
【特許請求の範囲】
【請求項１】
絶縁棒と、
前記絶縁棒の一端に取り付けられたフック部と、
アース部材に取り付けられる端子部と、
前記フック部と前記端子部とを電気的に接続するアース線と、
前記フック部と前記端子部とに挿し込み可能な共通キーと、を備え、
前記共通キーが前記端子部に挿し込まれているときに前記端子部は前記アース部材に固定可能であり、
前記端子部が前記アース部材に固定されているときに前記共通キーは前記端子部から引き抜き可能であり、
前記共通キーが前記フック部に差し込まれているときに前記フック部は開閉可能であり、
前記フック部が開いているときに前記共通キーは前記フック部から引き抜き可能である、短絡接地器具。
【請求項２】
絶縁棒と、
前記絶縁棒の一端に取り付けられたフック部と、
アース部材に取り付けられる端子部と、
前記フック部と前記端子部とを電気的に接続するアース線と、
前記フック部と前記端子部とにそれぞれ挿し込まれる共通キーと、を備え、
前記端子部は、
前記共通キーが挿し込まれる第１キー孔と、
前記アース部材を締め付ける第１ねじ部と、を有し、
前記第１ねじ部は、前記第１キー孔に前記共通キーが挿し込まれているときに回転可能であり、
前記共通キーは、前記第１ねじ部が前記アース部材を締め付けているときに前記第１キー孔から引き抜き可能であり、
前記フック部は、
前記共通キーが挿し込まれる第２キー孔と、
第２ねじ部と、
前記第２ねじ部が回転することによって開閉動作する開閉フックと、を有し、
前記第２ねじ部は、前記第２キー孔に前記共通キーが挿し込まれているときに回転可能であり、
前記共通キーは、前記開閉フックが開いているときに前記第２キー孔から引き抜き可能である、短絡接地器具。
【請求項３】
前記端子部は、
前記第１ねじ部を回転しないようにロックする第１ロック部と、
前記共通キーを前記第１キー孔から抜けないようにロックする第２ロック部とを有し、
前記フック部は、
前記第２ねじ部を回転しないようにロックする第３ロック部と、
前記共通キーを前記第２キー孔から抜けないようにロックする第４ロック部とを有し、
前記第１ロック部は前記第１キー孔に前記共通キーが挿し込まれるとロックを解除し、
前記第２ロック部は前記第１ねじ部が前記アース部材を締め付けるとロックを解除し、
前記第３ロック部は前記第２キー孔に前記共通キーが挿し込まれるとロックを解除し、
前記第４ロック部は前記開閉フックが開くとロックを解除する、請求項２に記載の短絡接地器具。
【請求項４】
前記共通キーは、
外周面に第１キー溝及び第２キー溝が形成された軸部を有し、
前記第１キー溝は、前記軸部の一端から他端に向けて軸方向に延設されており、
前記第２キー溝は、前記第１キー溝に接続して前記軸部の周方向に延設されている、請求項３に記載の短絡接地器具。
【請求項５】
前記第２ロック部は、
前記第１キー孔の内壁から前記第１キー孔の直径方向の中心部に向けて突き出た第１突起部、を有し、
前記軸部が前記第１キー孔に挿し込まれているとき、前記第１突起部は前記第１キー溝の内側又は前記第２キー溝の内側に位置し、
前記軸部が軸周りに回転することによって、前記第１突起部は前記第１キー溝及び前記第２キー溝の一方から他方へ相対的に移動する、請求項４に記載の短絡接地器具。
【請求項６】
前記第４ロック部は、
前記第２キー孔の内壁から前記第２キー孔の直径方向の中心部に向けて突き出た第２突起部を有し、
前記軸部が前記第２キー孔に挿し込まれているとき、前記第２突起部は前記第１キー溝の内側又は前記第２キー溝の内側に位置し、
前記軸部が軸周りに回転することによって、前記第２突起部は前記第１キー溝及び前記第２キー溝の一方から他方へ相対的に移動する、請求項４又は請求項５に記載の短絡接地器具。
【請求項７】
前記第１ねじ部の外周面には、前記第１ねじ部の軸方向に延設された第１溝部が形成されており、
前記第１ロック部は、前記第１溝部の内側に配置されることにより前記第１ねじ部の軸周りの回転をロックする第１ロックピンを有し、
前記第１ロックピンは、前記共通キーが前記第１キー孔に挿し込まれると、前記第１溝部の内側から外側へ移動する、請求項３から請求項５のいずれか１項に記載の短絡接地器具。
【請求項８】
前記軸部の外周面には、前記第２キー溝よりも前記周方向の長さが短い第３キー溝が形成されており、
前記第２ロック部は、前記第３キー溝の内側に配置されることにより前記軸部の軸周りの回転をロックする第２ロックピンを有し、
前記第２ロックピンは、前記第１ねじ部が前記アース部材を締め付けると、前記第３キー溝の内側から外側へ移動する、請求項４又は請求項５に記載の短絡接地器具。
【請求項９】
前記第２ねじ部の外周面には、前記第２ねじ部の軸方向に延設された第２溝部が形成されており、
前記第３ロック部は、前記第２溝部の内側に配置されることにより前記第２ねじ部の軸周りの回転をロックする第３ロックピンを有し、
前記第３ロックピンは、前記共通キーが前記第２キー孔に挿し込まれると、前記第２溝部の内側から外側へ移動する、請求項３又は請求項６に記載の短絡接地器具。
【請求項１０】
前記共通キーの少なくとも一部は磁石である、請求項１から請求項９のいずれか１項に記載の短絡接地器具。
【発明の詳細な説明】
【技術分野】
【０００１】
本発明は、短絡接地器具に関する。
【背景技術】
【０００２】
送電線などの電線路についての点検や電気工事は、点検箇所や工事箇所を停電状態にして作業が行われるが、停電作業時でも電線路に誘導電流が誘起される場合がある。そこで、作業者は、アースフックを用いて作業を行うようにしている（例えば、特許文献１から３参照）。アースフックは、短絡接地器具であり、絶縁棒（操作棒）と、絶縁棒の先端に開閉自在に軸支された金属製のフック部材と、操作手段を操作することによってフック部材を開閉させる開閉機構と、フック部材に接続された接地金具付きアース線と、を備えている。
【先行技術文献】
【特許文献】
【０００３】
【特許文献１】特開２０１０−３５３０５号公報
【特許文献２】特開２０１２−３９６７９号公報
【特許文献３】特開２０１３−２６０７１号公報
【発明の概要】
【発明が解決しようとする課題】
【０００４】
アースフックの取付け手順として、作業者は、接地金具をアース板等に取り付けた後で、アースフックを電線路に取り付ける必要がある。また、アースフックの取外し手順として、作業者は、アースフックを電線路から取り外した後で、接地金具をアース板等から取り外す必要がある。しかし、作業者は、アースフックの取付け手順や取外し手順を誤る可能性がある。
【０００５】
本発明は、上記に鑑みてなされたものであり、電線路に対して取付け手順通りに操作され、取外し手順通りに操作される短絡接地器具を提供することを目的とする。
【課題を解決するための手段】
【０００６】
本発明の一態様に係る短絡接地器具は、絶縁棒と、前記絶縁棒の一端に取り付けられたフック部と、アース部材に取り付けられる端子部と、前記フック部と前記端子部とを電気的に接続するアース線と、前記フック部と前記端子部とに挿し込み可能な共通キーと、を備え、前記共通キーが前記端子部に挿し込まれているときに前記端子部は前記アース部材に固定可能であり、前記端子部が前記アース部材に固定されているときに前記共通キーは前記端子部から引き抜き可能であり、前記共通キーが前記フック部に差し込まれているときに前記フック部は開閉可能であり、前記フック部が開いているときに前記共通キーは前記フック部から引き抜き可能である。これによれば、端子部がアース部材に固定されていないと、フック部は開閉することができない。また、フック部が開いていないと、端子部はアース部材から離れることができない。
【０００７】
本発明の一態様に係る短絡接地器具は、絶縁棒と、前記絶縁棒の一端に取り付けられたフック部と、アース部材に取り付けられる端子部と、前記フック部と前記端子部とを電気的に接続するアース線と、前記フック部と前記端子部とにそれぞれ挿し込まれる共通キーと、を備え、前記端子部は、前記共通キーが挿し込まれる第１キー孔と、前記アース部材を締め付ける第１ねじ部と、を有し、前記第１ねじ部は、前記第１キー孔に前記共通キーが挿し込まれているときに回転可能であり、前記共通キーは、前記第１ねじ部が前記アース部材を締め付けているときに前記第１キー孔から引き抜き可能であり、前記フック部は、前記共通キーが挿し込まれる第２キー孔と、第２ねじ部と、前記第２ねじ部が回転することによって開閉動作する開閉フックと、を有し、前記第２ねじ部は、前記第２キー孔に前記共通キーが挿し込まれているときに回転可能であり、前記共通キーは、前記開閉フックが開いているときに前記第２キー孔から引き抜き可能である。これによれば、端子部がアース部材を締め付けていないと、開閉フックは開閉動作することができない。また、開閉フックが開いていないと、端子部はアース部材の締め付けを緩めることができない。
【０００８】
本発明の望ましい態様として、前記端子部は、前記第１ねじ部を回転しないようにロックする第１ロック部と、前記共通キーを前記第１キー孔から抜けないようにロックする第２ロック部とを有し、前記フック部は、前記第２ねじ部を回転しないようにロックする第３ロック部と、前記共通キーを前記第２キー孔から抜けないようにロックする第４ロック部とを有し、前記第１ロック部は前記第１キー孔に前記共通キーが挿し込まれるとロックを解除し、前記第２ロック部は前記第１ねじ部が前記アース部材を締め付けるとロックを解除し、前記第３ロック部は前記第２キー孔に前記共通キーが挿し込まれるとロックを解除し、前記第４ロック部は前記開閉フックが開くとロックを解除する。これによれば、端子部がアース部材を締め付けていないと、共通キーは第１キー孔から抜けることができないので、開閉フックは開閉動作することができない。また、フック部が開いていないと、共通キーは第２キー孔から抜けることができないので、端子部はアース部材の締め付けを緩めることができない。
【０００９】
本発明の望ましい態様として、前記共通キーは、外周面に第１キー溝及び第２キー溝が形成された軸部を有し、前記第１キー溝は、前記軸部の一端から他端に向けて軸方向に延設されており、前記第２キー溝は、前記第１キー溝に接続して前記軸部の周方向に延設されている。これによれば、第１キー溝を、第１キー孔又は第２キー孔の内壁所定位置に対向させることができる。また、軸部を軸方向に回転させることによって、第２キー溝を上記の内壁所定位置に対向させることができる。
【００１０】
本発明の望ましい態様として、前記第２ロック部は、前記第１キー孔の内壁から前記第１キー孔の直径方向の中心部に向けて突き出た第１突起部、を有し、前記軸部が前記第１キー孔に挿し込まれているとき、前記第１突起部は前記第１キー溝の内側又は前記第２キー溝の内側に位置し、前記軸部が軸周りに回転することによって、前記第１突起部は前記第１キー溝及び前記第２キー溝の一方から他方へ相対的に移動する。これによれば、第１突起部が第１キー溝の内側に位置するとき、軸部は軸方向に移動することができる。また、第１突起部が第２キー溝の内側に位置するとき、軸部は軸方向に移動することができない。
【００１１】
本発明の望ましい態様として、前記第４ロック部は、前記第２キー孔の内壁から前記第２キー孔の直径方向の中心部に向けて突き出た第２突起部を有し、前記軸部が前記第２キー孔に挿し込まれているとき、前記第２突起部は前記第１キー溝の内側又は前記第２キー溝の内側に位置し、前記軸部が軸周りに回転することによって、前記第２突起部は前記第１キー溝及び前記第２キー溝の一方から他方へ相対的に移動する。これによれば、第２突起部が第１キー溝の内側に位置するとき、軸部は軸方向に移動することができる。また、第２突起部が第２キー溝の内側に位置するとき、軸部は軸方向に移動することができない。
【００１２】
本発明の望ましい態様として、前記第１ねじ部の外周面には、前記第１ねじ部の軸方向に延設された第１溝部が形成されており、前記第１ロック部は、前記第１溝部の内側に配置されることにより前記第１ねじ部の軸周りの回転をロックする第１ロックピンを有し、前記第１ロックピンは、前記共通キーが前記第１キー孔に挿し込まれると、前記第１溝部の内側から外側へ移動する。これによれば、共通キーが第１キー孔に挿し込まれることによって、第１ねじ部に対する回転ロックは解除される。
【００１３】
本発明の望ましい態様として、前記軸部の外周面には、前記第２キー溝よりも前記周方向の長さが短い第３キー溝が形成されており、前記第２ロック部は、前記第３キー溝の内側に配置されることにより前記軸部の軸周りの回転をロックする第２ロックピンを有し、前記第２ロックピンは、前記第１ねじ部が前記アース部材を締め付けると、前記第３キー溝の内側から外側へ移動する。これによれば、第１ねじ部がアース部材を締め付けることによって、共通キーに対する回転ロックは解除される。
【００１４】
本発明の望ましい態様として、前記第２ねじ部の外周面には、前記第２ねじ部の軸方向に延設された第２溝部が形成されており、前記第３ロック部は、前記第２溝部の内側に配置されることにより前記第２ねじ部の軸周りの回転をロックする第３ロックピンを有し、前記第３ロックピンは、前記共通キーが前記第２キー孔に挿し込まれると、前記第２溝部の内側から外側へ移動する。これによれば、共通キーが第２キー孔に挿し込まれることによって、第２ねじ部に対する回転ロックは解除される。
【００１５】
本発明の望ましい態様として、前記共通キーの少なくとも一部は磁石である。これによれば、共通キーを第１筐体又は第２筐体に磁力で取り付けることができる。
【発明の効果】
【００１６】
本発明によれば、電線路に対して取付け手順通りに操作され、取外し手順通りに操作される短絡接地器具を提供することができる。
【図面の簡単な説明】
【００１７】
【図１】図１は、本実施形態に係る短絡接地器具の構成例を示す図である。
【図２】図２は、本実施形態に係る端子部の構成例を示す斜視図である。
【図３】図３は、図２に示す端子部をＸ−Ｚ平面で切断した断面図である。
【図４】図４は、第１筐体の構成例を示す断面図である。
【図５】図５は、第１ねじ部の構成例を示す正面図である。
【図６】図６は、図５に示す第１ねじ部をＸ５−Ｘ’５線で切断した断面図である。
【図７】図７は、本実施形態に係る第１ロックピンの構成例を示す平面図である。
【図８】図８は、図２に示す端子部のうち、第１ロックピンを含む第１部位をＸ−Ｙ平面で切断した断面図である。
【図９】図９は、図２に示す端子部のうち、第１ロックピンを含む第１部位をＸ−Ｙ平面で切断した断面図である。
【図１０】図１０は、図２に示す端子部のうち、第２ロックピンを含む第２部位をＸ−Ｙ平面で切断した断面図である。
【図１１】図１１は、本実施形態に係る共通キーの構成例を示す平面図である。
【図１２】図１２は、本実施形態に係る共通キーの構成例を示す左側面図である。
【図１３】図１３は、本実施形態に係る共通キーの構成例を示す正面図である。
【図１４】図１４は、本実施形態に係る共通キーの構成例を示す右側面図である。
【図１５】図１５は、本実施形態に係る共通キーの構成例を示す背面図である。
【図１６】図１６は、本実施形態に係る共通キーの構成例を示す底面図である。
【図１７】図１７は、本実施形態に係るフック片及びフック受部の構成例を示す図である。
【図１８】図１８は、本実施形態に係るフック片及びフック受部の構成例を示す図である。
【図１９】図１９は、本実施形態に係るフック部の構成例を示す斜視図である。
【図２０】図２０は、図１９に示すフック部をＸ−Ｚ平面で切断した断面図である。
【図２１】図２１は、第２回転軸に対する第１アーム及び第２アームの取り付け状態を示す図である。
【図２２】図２２は、第２回転軸に対する第１アーム及び第２アームの取り付け状態を示す図である。
【図２３】図２３は、第２回転軸に対する第１アーム及び第２アームの取り付け状態を示す図である。
【図２４】図２４は、第３アームの構成例を示す側面図である。
【図２５】図２５は、第３アームの構成例を示す側面図である。
【図２６】図２６は、第２筐体の構成例を示す断面図である。
【図２７】図２７は、第２ねじ部の構成例を示す正面図である。
【図２８】図２８は、図２７に示す第２ねじ部をＸ２７−Ｘ’２７線で切断した断面図である。
【図２９】図２９は、図２０に示すフック部の第３ロックピンを含む部位をＸ−Ｙ平面で切断した断面図である。
【図３０】図３０は、図２０に示すフック部の第３ロックピンを含む部位をＸ−Ｙ平面で切断した断面図である。
【図３１】図３１は、短絡接地器具を電線路に取り付ける手順を示すフローチャートである。
【図３２】図３２は、短絡接地器具を電線路に取り付ける手順を示す断面図である。
【図３３】図３３は、短絡接地器具を電線路に取り付ける手順を示す断面図である。
【図３４】図３４は、短絡接地器具を電線路から取り外す手順を示すフローチャートである。
【図３５】図３５は、短絡接地器具を電線路から取り外す手順を示す断面図である。
【図３６】図３６は、短絡接地器具を電線路から取り外す手順を示す断面図である。
【発明を実施するための形態】
【００１８】
本発明を実施するための形態（実施形態）について、図面を参照しつつ詳細に説明する。なお、本実施形態に記載した内容により本発明が限定されるものではない。また、以下に記載した構成要素には、当業者が容易に想定できるもの、実質的に同一のものが含まれる。さらに、以下に記載した構成要素は適宜組合せることが可能である。
【００１９】
図１は、本実施形態に係る短絡接地器具の構成例を示す図である。発変電所での停電作業、又は送電線で停電作業を行う場合などには、作業者の安全を確保するために、感電防止措置を講じる必要がある。誤通電、他の電路又は電線（以下電線路という。）との混触、又は他の電線路からの誘導による感電の危険性を抑制するために、例えばアースフックと呼ばれる短絡接地器具を用いて確実に短絡接地しなければならない。
【００２０】
図１に示すように、本実施形態に係る短絡接地器具１００は、絶縁棒１と、フック部３と、端子部５と、アース線７と、共通キー９と、を備える。電気設備において停電作業を実施する場合、作業者は、端子部５をアース手段（接地箇所）に固定するとともに、フック部３を電線路の母線などのアース付け箇所（電気流入端）に固定することにより、短絡接地している。電線路とは、発変電所、電力を供給する送電線及びその支持物（鉄塔、碍子など）、付帯設備を含み、誘導電流が誘起する可能性のある導電体である。アース線７は、フック部３と端子部５との間を電気的に接続する導電性の部材である。
【００２１】
絶縁棒１は、絶縁棒本体１１を備える。絶縁棒本体１１は、例えばエポキシ樹脂等の絶縁材料からなる。絶縁棒本体１１が回転すると、フック部３の第２ねじ部４１は、第２ねじ部４１の軸周りに回転する。
【００２２】
図２は、本実施形態に係る端子部の構成例を示す斜視図である。図３は、図２に示す端子部をＸ−Ｚ平面で切断した断面図である。端子部５は、図１に示したアース線７とアース部材とを電気的に接続するための部材である。アース部材として、例えば、地面に打ち込まれた打込接地棒（図示せず）や、打込接地棒に接続された金属板等が挙げられる。図２及び図３に示すように、端子部５は、第１筐体５０と、第１ねじ部６１と、押圧板６２と、第１ロックピン６３と、弾性部材６４と、第２ロックピン６５と、弾性部材６６と、フック片７１とを備える。第１筐体５０、第１ねじ部６１、押圧板６２、第１ロックピン６３、弾性部材６４、第２ロックピン６５、弾性部材６６及びフック片７１は、例えば、金属等の導電材料からなる。弾性部材６４及び弾性部材６６は、例えば、圧縮コイルばねである。
【００２３】
本実施形態では、端子部５の厚さ方向と、フック部の厚さ方向とをそれぞれＺ方向とする。また、Ｚ方向と直交する平面において、第１ロックピン６３が移動する方向と、フック部３の後述する第３ロックピン４３（例えば、図２０参照）が移動する方向とをそれぞれＸ方向とする。Ｚ方向及びＸ方向とそれぞれ直交する方向をＹ方向とする。
【００２４】
図４は、第１筐体の構成例を示す断面図である。図４に示すように、第１筐体５０は、第１部位５１と、第１部位５１とＺ方向で向かい合う第２部位５２と、第１部位５１と第２部位５２とを接続する第３部位５３とを有する。第１部位５１には、貫通孔５１１と、ねじ孔５１３と、第１空間部５１５とが設けられている。Ｚ方向において、貫通孔５１１と重なる位置にねじ孔５１３は設けられている。また、貫通孔５１１とねじ孔５１３は第１空間部５１５を介して接続している。第１空間部５１５は、Ｘ方向及びＹ方向に広がりを持つ空間である。貫通孔５１１とねじ孔５１３とには、図３に示したように第１ねじ部６１が通される。ねじ孔５１３の内壁には、ねじ溝５１３ａが設けられている。また、第１空間部５１５には、図３に示したように第１ロックピン６３が配置される。
【００２５】
第２部位５２には、第１部位５１側に開口した開口部５２１と、開口部５２１に接続した第２空間部５２３とが設けられている。Ｚ方向において、ねじ孔５１３と重なる位置に開口部５２１が設けられている。また、第２空間部５２３は、Ｘ方向及びＹ方向に広がりを持つ空間である。開口部５２１及び第２空間部５２３には、図３に示したように第２ロックピン６５が配置される。
【００２６】
また、Ｚ方向において、第１部位５１、第２部位５２及び第３部位５３が重なる部分には、第１キー孔５４が設けられている。Ｘ方向において、第１キー孔５４は、第１空間部５１５と第２空間部５２３とにそれぞれ接続している。また、第１キー孔５４の内壁には、キーの脱離を防止するための第１突起部５０ａが設けられている。なお、本実施形態では、Ｚ方向において、ねじ孔５１３と開口部５２１との間に位置する第３空間部５５に、アース部材が配置される。
【００２７】
図５は、第１ねじ部の構成例を示す正面図である。図６は、図５に示す第１ねじ部をＸ５−Ｘ’５線で切断した断面図である。図５及び図６に示すように、第１ねじ部６１は、円筒状の胴部６１１と、胴部６１１の一端に設けられた頭部６１３と、を有する。胴部６１１の外周面には、ねじ山６１１ａが設けられている。ねじ山６１１ａは、図４に示したねじ孔５１３のねじ溝５１３ａに対応している。これにより、第１ねじ部６１は、ねじ孔５１３に螺合する。また、胴部６１１の外周面には、Ｚ方向に延びる第１溝部６１１ｂが設けられている。例えば、図６に示すように、胴部６１１には４本の第１溝部６１１ｂが設けられている。４本の第１溝部６１１ｂは、胴部６１１の軸心６１１ｃからみて９０°の等間隔で配置されている。なお、４本の第１溝部６１１ｂはそれぞれ、第１ロックピン６３の後述する第２先端部６３５（例えば、図７参照）が入るように、第２先端部６３５よりもサイズが大きく形成されている。
【００２８】
図７は、本実施形態に係る第１ロックピンの構成例を示す平面図である。図７に示すように、第１ロックピン６３は、環状のベース部６３１と、第１先端部６３３と、第２先端部６３５及び保持部６３７、を有する。ベース部６３１の輪の形状は、例えば矩形である。第１先端部６３３、第２先端部６３５及び保持部６３７はベース部６３１にそれぞれ固定されている。Ｘ方向において、第１先端部６３３は、ベース部６３１の一端からベース部６３１の輪の外側に向けて設けられている。また、Ｘ方向において、第２先端部６３５は、ベース部６３１の他端からベース部６３１の輪の内側に向けて設けられている。さらに、Ｘ方向において、保持部６３７は、ベース部６３１の他端からベース部６３１の輪の外側に向けられている。ベース部６３１と、第１先端部６３３と、第２先端部６３５及び保持部６３７は一体に形成されている。また、弾性部材６４は例えば圧縮コイルばねであり、圧縮コイルばねの内側に保持部６３７が配置されている。これにより、保持部６３７は、弾性部材６４をＹ方向への移動を抑制しつつ保持している。
【００２９】
図８及び図９は、図２に示す端子部のうち、第１ロックピンを含む第１部位をＸ−Ｙ平面で切断した断面図である。図８は第１キー孔５４に共通キーが挿し込まれていない場合を示し、図９は第１キー孔５４に共通キー９が挿し込まれている場合を示している。図８に示すように、第１キー孔５４に共通キー９が挿し込まれていない場合、弾性部材６４によって、第１先端部６３３は第１キー孔５４まで押し出され、第２先端部６３５は第１ねじ部６１の外周面に押し当てられている。このとき、第２先端部６３５が第１溝部６１１ｂに嵌れば、第１ねじ部６１は軸周りに回転することができない状態となる。また、第２先端部６３５が第１溝部６１１ｂと向かい合っていない場合でも、第１ねじ部６１が軸周りに回転すれば、第１溝部６１１ｂは第２先端部６３５と向かい合う位置まで移動する。これにより、第２先端部６３５は第１溝部６１１ｂに嵌り、第１ねじ部６１はそれ以上回転することができなくなる。このように、第１キー孔５４に共通キー９が挿し込まれていない場合、第１ねじ部６１の回転は第１ロックピン６３によってロックされる。
【００３０】
一方、図９に示すように、第１キー孔５４に共通キー９が挿し込まれると、共通キー９によって、第１先端部６３３は第１キー孔５４の外側まで押し戻され、第２先端部６３５は第１溝部６１１ｂの内側から外側へ移動する。図９の破線矢印で示すように、弾性部材６４は縮んでおり、第１ロックピン６３は第１ねじ部６１から離れているので、第１ねじ部６１は軸周りに回転することができる。このように、第１キー孔５４に共通キー９が挿し込まれることにより、第１ロックピン６３は第１ねじ部６１に対するロックを解除する。
【００３１】
図１０は、図２に示す端子部のうち、第２ロックピンを含む第２部位をＸ−Ｙ平面で切断した断面図である。図１０に示すように、第２ロックピン６５は、頭部６５１とピン本体６５３とを有する。頭部６５１は、ピン本体６５３の一端に固定されている。例えば、頭部６５１とピン本体６５３は一体に形成されている。頭部６５１は開口部５２１に配置され、ピン本体６５３は第２空間部５２３に配置されている。また、ピン本体６５３の他端は第１キー孔５４に位置する。頭部６５１と開口部５２１の底面との間には、図３に示した弾性部材６６が配置されている。図３において、頭部６５１がＺ方向の下側、つまり開口部５２１の底面側に押されると、弾性部材６６が縮み、頭部６５１と共にピン本体６５３もＺ方向の下側に移動する。
【００３２】
図１１から図１６は、本実施形態に係る共通キーの構成例を示す６面図であり、図１１は平面図、図１２は左側面図、図１３は正面図、図１４は右側面図、図１５は背面図、図１６は底面図である。図１１から図１６に示すように、共通キー９は、軸部９１と、軸部９１に固定された頭部９３と、頭部９３に固定されたフック受部９７と、を有する。軸部９１は、その軸方向において、一端９１ａと、一端９１ａの反対側に位置する他端９１ｂとを有する。頭部９３は、軸部９１の他端９１ｂ側に設けられている。頭部９３は、作業者が把持するための把持部９４と、磁石部９５とを有する。例えば、磁石部９５は、把持部９４よりも他端９１ｂに近い側に設けられている。フック受部９７は、把持部９４の上面又は側面に固定されている。また、フック受部９７には、フック片７１を通すための貫通孔９７ａが設けられている。
【００３３】
軸部９１の外周面には第１キー溝９２ａ、第２キー溝９２ｂ、第３キー溝９２ｃ及び第４キー溝９２ｄがそれぞれ設けられている。第１キー溝９２ａは、一端９１ａから軸部９１の軸方向、つまり、他端９１ｂに向かう方向に延設されている。第２キー溝９２ｂは、一端９１ａと他端９１ｂとの間の位置で第１キー溝９２ａに接続し、かつ軸部９１の周方向に延設されている。軸部９１の周方向は、軸部９１の軸方向と交差する方向であり、例えば軸方向と直交する方向である。図１４及び図１５に示すように、例えば、第１キー溝９２ａは軸部９１の右側面に形成されており、第２キー溝９２ｂは軸部９１の右側面から背面にかけて形成されている。
【００３４】
図１２及び図１３に示すように、第３キー溝９２ｃ及び第４キー溝９２ｄは軸部９１の一端９１ａ側に設けられている。例えば、第３キー溝９２ｃは軸部９１の正面に形成されており、第４キー溝９２ｄは軸部９１の正面から左側面にかけて形成されている。第４キー溝９２ｄは第３キー溝９２ｃに接続している。第３キー溝９２ｃの周方向の長さＷ３は、第２キー溝９２ｂの周方向の長さＷ２よりも短い。つまり、Ｗ３＜Ｗ２である。
【００３５】
図１７及び図１８は、本実施形態に係るフック片及びフック受部の構成例を示す図である。図１７はフック受部９７がフック片７１に係止されている場合を示し、図１８はフック受部９７がフック片７１から外されている場合を示している。
【００３６】
図１７及び図１８に示すように、フック片７１は開閉可能な環状の金具であり、第１筐体５０に取り付けられている。フック片７１は、作業者が指等で押すことで金具の輪が開く開閉部７１ａを有する。フック片７１をフック受部９７に係止する場合、作業者は、開閉部７１ａを指等で押して輪を開き、開いた輪をフック受部９７の貫通孔９７ａに通し、その後、開閉部７１ａから指を離して輪を閉じる。これにより、作業者は、フック片７１をフック受部９７に係止することができる。また、フック片７１をフック受部９７から取り外す場合、作業者は、開閉部７１ａを指等で押して輪を開き、開いた輪をフック受部９７の貫通孔９７ａから外し、その後、開閉部７１ａから指等を離して輪を閉じる。これにより、作業者は、フック片７１をフック受部９７から取り外すことができる。
【００３７】
図１９は、本実施形態に係るフック部の構成例を示す斜視図である。図２０は、図１９に示すフック部をＸ−Ｚ平面で切断した断面図である。図１９及び図２０に示すように、フック部３は、第２筐体３１と、開閉フック３２と、開閉機構４０と、第３ロックピン４３と、弾性部材４４と、第１受部４９ａと、第２受部４９ｂと、フック片４８とを備える。第２筐体３１と、開閉フック３２と、開閉機構４０と、第３ロックピン４３と、第１受部４９ａと、第２受部４９ｂ及びフック片４８は、例えば金属などの導電材料からなる。フック片４８の構成は、例えば図１７及び図１８に示したフック片７１と同じである。開閉フック３２と、第１受部４９ａと、第２受部４９ｂ及びフック片４８は第２筐体３１の外側に配置されている。開閉機構４０と、第３ロックピン４３は、第２筐体３１の内側に配置されている。
【００３８】
開閉機構４０は、第１回転軸３３と、第１アーム３４と、第２回転軸３５と、第２アーム３６と、第３回転軸３７と、第３アーム３８と、第２ねじ部４１及び昇降部４２を有する。開閉機構４０は、第２筐体３１に対して開閉フック３２を開閉動作させる部位である。
【００３９】
第１回転軸３３は、第２筐体３１に回転可能に取り付けられている。また、第１回転軸３３に、開閉フック３２の一端と、第１アーム３４の一端とがそれぞれ固定されている。これにより、開閉フック３２及び第１アーム３４は、第１回転軸３３を中心に、第２筐体３１に対して回動可能となっている。例えば、開閉フック３２は、第１アーム３４が第１回転軸３３を中心に回動することで、第２筐体３１に近づく近接方向ＦＷと、第２筐体３１から遠ざかる離隔方向ＢＷとにそれぞれ開閉することができる。
【００４０】
第１アーム３４の他端と、第２アーム３６の一端は第２回転軸３５に取り付けられている。第２回転軸３５は第２筐体３１及び昇降部４２に固定されていない。第２回転軸３５は、昇降部４２によって支えられている。図２１から図２３は、第２回転軸に対する第１アーム及び第２アームの取り付け状態を示す図である。図２１及び図２３はＹ方向から見た図であり、図２２はＺ方向から見た図である。
【００４１】
図２１から図２３に示すように、第１アーム３４の他端には、第１アーム３４の長手方向に平行なスリット３４１が設けられている。同様に、第２アーム３６の一端には、第２アーム３６の長手方向に平行なスリット３６１が設けられている。また、第２回転軸３５は、軸部３５１と、軸部３５１のＹ方向の両端に設けられた一対の回転板３５２とを有する。軸部３５１の直径はスリット３４１、３６１の各幅よりも小さく、軸部３５１はスリット３４１、３６１にそれぞれ通されている。また、回転板３５２の直径は、第１アーム３４及び第２アーム３６の各幅よりも大きい。そして、軸部３５１の両端部は、回転板３５２の中心部にそれぞれ固定されている。これにより、軸部３５１は、スリット３４１、３６１内を移動することが可能となっている。本実施形態では、昇降部４２の昇降動作、つまり、Ｚ方向への移動に応じて、第２回転軸３５は第１アーム３４及び第２アーム３６に対して相対的に移動し、昇降部４２の上面をＸ方向に移動することも可能となっている。
【００４２】
また、第２アーム３６の他端と、第３アーム３８の一端は第３回転軸３７に取り付けられている。第３回転軸３７は第２筐体３１に固定されていない。第２アーム３６は第３回転軸３７を中心に回動可能となっている。
【００４３】
第３アーム３８は、複数の部材で構成されている。図２４及び図２５は、第３アームの構成例を示す側面図である。図２４はＹ方向から見た図であり、図２５はＸ方向から見た図である。図２４及び図２５に示すように、第３アーム３８は、第１部位３８１と、ロック片３８２と、第２部位３８３と、弾性部材３８５及び連結部３８６を有する。ロック片３８２は、共通キー９の軸周りの回転をロックするための部位であり、第１部位３８１の一端に固定されている。例えば、第１部位３８１とロック片３８２は一体に形成されている。また、第１部位３８１の他端は、弾性部材３８５を介して第２部位３８３と向かい合っている。弾性部材３８５は第１部位３８１と第２部位３８３との間に配置されている。
【００４４】
連結部３８６の一端は第１部位３８１に固定され、連結部３８６の他端は第２部位３８３に可動な状態で取り付けられている。第２部位３８３には、第２部位３８３の長手方向に平行なスリット状のガイド部３８４が設けられている。連結部３８６の他端は、ガイド部３８４に沿って移動することができるように第２部位３８３に取り付けられている。
【００４５】
例えば、連結部３８６は、第１棒状部材３８６ａ及び第２棒状部材３８６ｂを有する。第１棒状部材３８６ａと第２棒状部材３８６ｂは直交しており、第２棒状部材３８６ｂの長手方向の中間部に第１棒状部材３８６ａの一端が固定されている。つまり、第１棒状部材３８６ａと第２棒状部材３８６ｂはＴ字状に固定されている。また、第２棒状部材３８６ｂは第２部位３８３内に配置されており、その両端はスリット状のガイド部３８４にそれぞれ通されている。これにより、第２棒状部材３８６ｂは、ガイド部３８４に沿って移動することが可能となっている。また、第１棒状部材３８６ａの他端は第１部位３８１に固定されている。このような構造により、第１部位３８１と第２部位３８３は連結され、第１部位３８１と第２部位３８３との離隔距離は変動することが可能となっている。また、弾性部材３８５は例えば圧縮コイルばねであり、圧縮コイルばねの内側に第１棒状部材３８６ａが配置されている。このような構造により、弾性部材３８５は、第１部位３８１と第２部位３８３との間に保持されている。
【００４６】
図２６は、第２筐体の構成例を示す断面図である。第２筐体３１は、金属等の導電性部材からなる。図２６に示すように、第２筐体３１には、貫通孔３１１と、ねじ孔３１２と、第２キー孔３１３と、第１空間部３１４と、第２空間部３１５と、開口部３１７及び位置規制部３１８が設けられている。貫通孔３１１及びねじ孔３１２には、図２０に示したように第２ねじ部４１が配置される。ねじ孔３１２の内壁には、ねじ溝３１２ａが設けられている。また、第１空間部３１４には、図２０に示したように第３ロックピン４３が配置される。図２６に示すように、Ｚ方向において貫通孔３１１の延長線上にねじ孔３１２が位置し、貫通孔３１１とねじ孔３１２は第１空間部３１４を介して接続している。また、第２空間部３１５には、図２０に示したように第１アーム３４、第２アーム３６、第３アーム及び３８及び昇降部４２が配置される。第２キー孔３１３には、図２０に示したように共通キー９が配置される。Ｘ方向において、第２キー孔３１３は、第１空間部３１４と第２空間部３１５とにそれぞれ接続している。また、第２キー孔３１３の内壁には、共通キー９の脱離を防止するための第２突起部３１ａが設けられている。
【００４７】
位置規制部３１８は、図２４及び図２５に示した第１部位３８１の水平方向、つまり、Ｘ方向及びＹ方向への移動を規制する部位である。位置規制部３１８は第１部位３８１との間に隙間を確保しつつ、その周囲を囲むように形成されている。
【００４８】
図２７は、第２ねじ部の構成例を示す正面図である。図２８は、図２７に示す第２ねじ部をＸ２７−Ｘ’２７線で切断した断面図である。図２７及び図２８に示すように、第２ねじ部４１は、円筒状の胴部４１１を有する。胴部４１１の外周面には、ねじ山４１１ａが設けられている。ねじ山４１１ａは、図２６に示したねじ孔３１２のねじ溝３１２ａに対応している。これにより、第２ねじ部４１は、ねじ孔３１２に螺合する。また、胴部４１１の外周面には、Ｚ方向に延びる第２溝部４１１ｂが設けられている。例えば、図２８に示すように、胴部４１１には４本の第２溝部４１１ｂが設けられている。４本の第２溝部４１１ｂは、胴部４１１の軸心４１１ｃからみて９０°の等間隔で配置されている。なお、４本の第２溝部４１１ｂはそれぞれ、第３ロックピン４３の後述する第２先端部４３５（例えば、図２９参照）が入るように、第２先端部４３５よりもサイズが大きく形成されている。
【００４９】
図２９及び図３０は、図２０に示すフック部の第３ロックピンを含む部位をＸ−Ｙ平面で切断した断面図である。図２９は第２キー孔３１３に共通キー９が挿し込まれていない場合を示し、図３０は第２キー孔３１３に共通キー９が挿し込まれている場合を示している。図２９及び図３０に示すように、第３ロックピン４３は、環状のベース部４３１と、第１先端部４３３と、第２先端部４３５及び保持部４３７、を有する。ベース部４３１の輪の形状は、例えば矩形である。第１先端部４３３、第２先端部４３５及び保持部４３７はベース部４３１にそれぞれ固定されている。
【００５０】
Ｘ方向において、第１先端部４３３は、ベース部４３１の一端からベース部４３１の輪の外側に向けて設けられている。また、Ｘ方向において、第２先端部４３５は、ベース部４３１の他端からベース部４３１の輪の内側に向けて設けられている。さらに、Ｘ方向において、保持部４３７は、ベース部４３１の他端からベース部４３１の輪の外側に向けられている。ベース部４３１と、第１先端部４３３と、第２先端部４３５及び保持部４３７は一体に形成されている。また、弾性部材４４は例えば圧縮コイルばねであり、圧縮コイルばねの内側に保持部４３７が配置されている。これにより、保持部４３７は、弾性部材４４をＹ方向への移動を抑制しつつ保持している。
【００５１】
図２９に示すように、第２キー孔３１３に共通キー９が挿し込まれていない場合、弾性部材４４によって、第１先端部４３３は第２キー孔３１３まで押し出され、第２先端部４３５は第２ねじ部４１の外周面に押し当てられている。このとき、第２先端部４３５が第２溝部４１１ｂに嵌れば、第２ねじ部４１は軸周りに回転することができない状態となる。また、第２先端部４３５が第２溝部４１１ｂと向かい合っていない場合でも、第２ねじ部４１が軸周りに回転すれば、第２溝部４１１ｂは第２先端部４３５と向かい合う位置まで移動する。これにより、第２先端部４３５は第２溝部４１１ｂに嵌り、第２ねじ部４１はそれ以上回転することができなくなる。このように、第２キー孔３１３に共通キーが挿し込まれていない場合、第２ねじ部４１の回転は第１ロックピン４３によってロックされる。
【００５２】
一方、図３０に示すように、第２キー孔３１３に共通キー９が挿し込まれると、共通キー９によって、第１先端部４３３は第２キー孔３１３の外側まで押し戻され、第２先端部４３５は第２溝部４１１ｂの内側から外側へ移動する。図９の破線矢印で示すように、弾性部材４４は押されて縮み、第３ロックピン４３は第２ねじ部４１から離れているので、第２ねじ部４１は軸周りに回転することができる。このように、第２キー孔３１３に共通キー９が挿し込まれることにより、第３ロックピン４３は第２ねじ部４１に対するロックを解除する。
【００５３】
図３１は、短絡接地器具を電線路に取り付ける手順を示すフローチャートである。また、図３２及び図３３は短絡接地器具を電線路に取り付ける手順を示す断面図である。
【００５４】
図３１から図３３に示すように、作業者は、まず、第１ねじ部を締まる方向へ回転させる（ステップＳ１）。ステップＳ１では、共通キー９は第１キー孔５４に挿し込まれており、第２ロックピン６５のピン本体６５３は共通キー９の第３キー溝９２ｃに位置する。ピン本体６５３が第３キー溝９２ｃに位置すると、共通キー９は回転することができない。つまり、第２ロックピン６５によって、共通キー９は回転できないようにロックされている。
【００５５】
また、ステップＳ１では、第１キー孔５４の内壁に設けられた第１突起部５０ａは共通キー９の第２キー溝９２ｂ内に位置する。第１突起部５０ａが第２キー溝９２ｂに位置すると、共通キー９はＺ方向に移動することができない。つまり、第１突起部５０ａによって、共通キー９は第１キー孔５４から引き抜きできないようにロックされている。また、共通キー９のフック受部９７にはフック片７１が取り付けられている（図１７参照）。さらに、共通キー９の磁石部９５は端子部５の第１筐体５０と接触しており、共通キー９は第１筐体５０に磁力で取り付けられている。これらにより、共通キー９に対する引き抜きロックが解除された場合でも、共通キー９は第１キー孔５４から簡単に抜けないようになっている。
【００５６】
ステップＳ１では、第１ロックピン６３は共通キー９によって弾性部材６４側に押圧されており、第１ロックピン６３は第１ねじ部６１と接触していない。このため、第１ねじ部６１は軸周りに回転可能となっている。そこで、作業者は、押圧板６２と、端子部５の第２部位５２との間にアース部材９９を配置した状態で、第１ねじ部６１を締まる方向に回転させる。この回転作業は、作業者が手で行ってもよいし工具を用いて行ってもよい。これにより、アース部材９９は、押圧板６２と第２部位５２とに挟まれて固定される。アース部材９９は第２ロックピン６５の頭部６５１を下側に押圧した状態で固定される。このため、第２ロックピン６５は下側へ移動し、ピン本体６５３は第３キー溝９２ｃから第４キー溝９２ｄへ相対的に移動する。これにより、共通キー９は回転が可能となる。つまり、共通キー９に対する回転ロックは解除される（ステップＳ２）。
【００５７】
次に、作業者は、共通キー９のフック受部９７からフック片７１を取り外す（図１８参照）。そして、作業者は、共通キー９を軸周りに回転させる。共通キー９の回転方向は、第１突起部５０ａが第２キー溝９２ｂから第１キー溝９２ａへ相対的に移動する方向である。これにより、第１キー孔５４からの共通キー９の引き抜きが可能となる。つまり、共通キー９に対する引き抜きロックが解除される（ステップＳ３）。
【００５８】
次に、作業者は、第１キー孔５４から共通キー９を引き抜く（ステップＳ４）。共通キー９が引き抜かれる過程で、第１突起部５０ａは第１キー溝９２ａ内を相対的に移動する。図８に示したように、共通キー９が第１キー孔５４から引き抜かれると、第１ロックピン６３は弾性部材６４に押されて第１キー孔５４側へ移動し、第１ロックピン６３の第２先端部６３５は第１ねじ部６１に接触する。これにより、第１ねじ部６１は回転ができなくなる。つまり、第１ねじ部６１は回転しないようにロックされる。
【００５９】
次に、作業者は、フック部３の第２キー孔３１３に共通キー９を挿し込む（ステップＳ５）。第２キー孔３１３への共通キー９の挿し込みは、一端９１ａを先頭にして行われる。共通キー９が第２キー孔３１３に挿し込まれる過程で、第２突起部３１ａは第１キー溝９２ａ内を相対的に移動する。図２９に示したように、第２キー孔３１３に共通キー９が挿し込まれていないときは、第３ロックピン４３は第２ねじ部４１に接触しており、第２ねじ部４１の回転はロックされている。これに対し、図３０に示したように、第２キー孔３１３に共通キー９が挿し込まれると、共通キー９によって第３ロックピン４３は弾性部材４４側に押圧され、第３ロックピン４３は第２ねじ部４１から離れる。その結果、第２ねじ部４１は回転が可能となる。つまり、第２ねじ部４１に対する回転ロックは解除される。
【００６０】
共通キー９が第２キー孔３１３の奥まで挿し込まれると、共通キー９の磁石部９５がフック部３の第２筐体３１と接触する。磁石部９５が第２筐体３１と接触すると、磁力によって、共通キー９は第２筐体３１に取り付けられる。これにより、共通キー９は第２キー孔３１３から簡単には抜けないようになる。また、第３アーム３８のロック片３８２が第４キー溝９２ｄ内に配置される。この状態で、共通キー９を軸周りに回転させる。共通キー９の回転方向は、第２突起部３１ａが第１キー溝９２ａから第２キー溝９２ｂへ相対的に移動する方向である。第２突起部３１ａが第２キー溝９２ｂ内に移動すると、共通キー９はＺ方向に移動することができない。つまり、共通キー９は第２キー孔３１３から引き抜きできないようにロックされる（ステップＳ６）。その後、作業者は、共通キー９のフック受部９７にはフック片４８を取り付ける。
【００６１】
次に、作業者は絶縁棒１を手にして、フック部３の開閉フック３２にアークホーン等の電線路１９９を引っ掛ける。そして、作業者は、絶縁棒１を介して第２ねじ部４１を回転させる。第２ねじ部４１の回転方向は、第２ねじ部４１が締まる方向である（ステップＳ７）。第２ねじ部４１の締まる方向への回転により、昇降部４２はＺ方向の上側に移動し、昇降部４２と共に第２回転軸３５もＺ方向の上側へ移動する。
【００６２】
第２回転軸３５がＺ方向の上側へ移動すると、第１アーム３４は第１回転軸３３を中心に回動し、開閉フック３２は近接方向ＦＷに移動する。これにより、第１受部４９ａと第２受部４９ｂとに電線路１９９が挟まれて、開閉アーム３２は閉じた状態となる。また、第２回転軸３５がＺ方向の上側へ移動すると、第２アーム３６及び第３回転軸３７を介して第３アーム３８が下側に押され、第３アーム３８のロック片３８２は第４キー溝９２ｄから第３キー溝９２ｃ内へ移動する。ロック片３８２が第３キー溝９２ｃに位置すると、共通キー９は回転することができない。つまり、共通キー９は回転しないようにロックされる（ステップＳ８）。
【００６３】
なお、図２４及び図２５に示したように、第３アーム３８の第１部位３８１は、位置規制部３１８によって、Ｘ方向及びＹ方向の位置ずれが規制されている。このため、第１部位３８１は位置規制部３１８にガイドされてＺ方向に沿って移動することができ、ロック片３８２は第３キー溝９２ｃに高精度に配置される。また、第３アーム３８の第１部位３８１と第２部位３８３との間には弾性部材３８５が配置されている。ロック片３８２が第３キー溝９２ｃに移動して共通キー９の回転がロックされた後に、第３アーム３８がさらに下側に押された場合でも、その押す力は弾性部材３８５が変形することで蓄積される。したがって、作業者は、共通キー９の回転がロックされた後も、第２ねじ部４１を締める方向に回転させて開閉フックをさらに閉じることができる。
【００６４】
図３４は、短絡接地器具を電線路から取り外す手順を示すフローチャートである。また、図３５及び図３６は短絡接地器具を電線路から取り外す手順を示す断面図である。図３４から図３６に示すように、作業者は、まず絶縁棒１を操作して、第２ねじ部４１を回転させる。第２ねじ部４１の回転方向は、第２ねじ部４１が緩む方向である（ステップＳ１１）。第２ねじ部４１の緩む方向への回転により、昇降部４２はＺ方向の下側に移動し、第２回転軸３５も重力に従ってＺ方向の下側へ移動する。
【００６５】
これにより、第１アーム３４は第１回転軸３３を中心に回転し、開閉フック３２は第２筐体３１から遠ざかる離隔方向ＢＷに移動する。第１受部４９ａと第２受部４９ｂとから電線路１９９は離れ、開閉アーム３２は開いた状態となる。作業者は、絶縁棒１を動かして、フック部３を電線路１９９から取り外す。また、第２回転軸３５がＺ方向の下側へ移動すると、第２アーム３６及び第３回転軸３７を介して第３アーム３８は上側に持ち上げられ、第３アーム３８のロック片３８２は第３キー溝９２ｃから第４キー溝９２ｄ内へ移動する。これにより、共通キー９は回転可能となる。つまり、共通キー９に対する回転ロックは解除される（ステップＳ１２）。
【００６６】
次に、作業者は、共通キー９のフック受部９７からフック片４８を取り外す。そして、作業者は、共通キー９を軸周りに回転させる。共通キー９の回転方向は、第２突起部３１ａが第２キー溝９２ｂから第１キー溝９２ａへ相対的に移動する方向である。これにより、共通キー９の引き抜きがロックされた状態を解除する（ステップＳ１３）。
【００６７】
次に、作業者は、フック部３の第２キー孔３１３から共通キー９を引き抜く（ステップＳ１４）。共通キー９が引き抜かれる過程で、第２突起部３１ａは第１キー溝９２ａ内を相対的に移動する。第２キー孔３１３から共通キー９が引き抜かれると、弾性部材４４によって第３ロックピン４３は第２キー孔３１３側に押し出され、共通キー９の第２先端部４３５は第２ねじ部４１に接触する。これにより、第２ねじ部４１は回転しないようにロックされる。
【００６８】
次に、作業者は、端子部５の第１キー孔５４に共通キー９を挿し込む（ステップＳ１５）。第１キー孔５４への共通キー９の挿し込みは、一端９１ａを先頭にして行われる。第１キー孔５４に共通キー９が挿し込まれると、共通キー９によって第１ロックピン６３は弾性部材６４側に押圧され、第１ロックピン６３は第１ねじ部６１から離れる。その結果、図９に示したように、第１ねじ部６１に対する回転ロックは解除される。
【００６９】
共通キー９が第１キー孔５４の奥まで挿し込まれると、共通キー９の磁石部９５が端子部５の第１筐体５０と接触する。磁石部９５が第１筐体５０と接触すると、磁力によって、共通キー９は第１筐体５０に取り付けられる。この状態で、共通キー９を軸心周りに回転させる。共通キー９の回転方向は、第１突起部５０ａが第１キー溝９２ａから第２キー溝９２ｂへ相対的に移動する方向である。これにより、共通キー９は第１キー孔５４から引き抜きできないようにロックされる（ステップＳ１６）。
【００７０】
次に、作業者は、第１ねじ部６１を緩む方向に回転させる（ステップ１７）。この回転作業は、作業者が手で行ってもよいし工具を用いて行ってもよい。これにより、アース部材９９の固定状態が解かれ、アース部材９９から端子部５を取り外すことが可能となる。アース部材９９の固定状態が解かれると、第２ロックピン６５は弾性部材６６に押されてＺ方向の上側に移動する。これにより、ピン本体６５３は第４キー溝９２ｄから第３キー溝９２ｃに移動して、共通キー９は回転しないようにロックされる（ステップＳ１８）。
【００７１】
以上説明したように、本実施形態に係る短絡接地器具１００は、絶縁棒１と、絶縁棒１の一端に取り付けられたフック部３と、アース部材に取り付けられる端子部５と、フック部３と端子部５とを電気的に接続するアース線７と、フック部３と端子部５とにそれぞれ挿し込まれる共通キー９と、を備える。端子部５は、第１筐体５０と、第１筐体５０に設けられ、共通キー９が挿し込まれる第１キー孔５４と、第１筐体５０に取り付けられ、アース部材９９を締め付ける第１ねじ部６１と、第１ねじ部６１を回転しないようにロックする第１ロック部と、共通キー９を第１キー孔５４から抜けないようにロックする第２ロック部と、を有する。フック部３は、第２筐体３１と、第２筐体３１に設けられ、共通キー９が挿し込まれる第２キー孔３１３と、第２筐体３１に取り付けられた第２ねじ部４１と、第２筐体３１に取り付けられ、第２ねじ部４１が回転することによって開閉動作する開閉フック３２と、第２ねじ部４１を回転しないようにロックする第３ロック部と、共通キー９を第２キー孔３１３から抜けないようにロックする第４ロック部と、を有する。第１ロック部は第１キー孔５４に共通キー９が挿し込まれるとロックを解除する。第２ロック部は第１ねじ部６１がアース部材９９を締め付けるとロックを解除する。第３ロック部は第２キー孔３１３に共通キー９が挿し込まれるとロックを解除する。第４ロック部は開閉フック３２が開くとロックを解除する。
【００７２】
これによれば、端子部５がアース部材９９を締め付けていないと、共通キー９は第１キー孔５４から抜けることができない。また、共通キー９が第２キー孔３１３に挿し込まれていないと、開閉フック３２は開閉動作することができない。つまり、端子部５がアース部材９９を締め付けていないと、開閉フック３２は開閉動作することができない。このため、電線路１９９に対する取り付け手順に誤りが生じることを防ぐことができる。
【００７３】
また、開閉フック３２が開いていないと、共通キー９は第２キー孔３１３から抜けることができない。また、共通キー９が第１キー孔５４に挿し込まれていないと、端子部５はアース部材９９の締め付けを緩めることができない。つまり、開閉フック３２が開いていないと、端子部５はアース部材９９の締め付けを緩めることができない。このため、電線路１９９に対する取り外し手順に誤りが生じることを防ぐことができる。
【００７４】
また、共通キー９は、外周面に第１キー溝９２ａ及び第２キー溝９２ｂが形成された軸部９１を有する。第１キー溝９２ａは、軸部９１の一端９１ａから他端９１ｂに向けて軸方向に延設されている。第２キー溝９２ｂは、第１キー溝９２ａに接続して軸部９１の周方向に延設されている。これによれば、第１キー溝９２ａを第１キー孔５４又は第２キー孔３１３の内壁所定位置（例えば、第１突起部５０ａ又は第２突起部３１ａ）に対向させることができる。また、軸部９１を軸方向に回転させることによって、第２キー溝９２ｂを上記の内壁所定位置に対向させることができる。
【００７５】
また、第２ロック部は、第１キー孔５４の内壁から第１キー孔５４の直径方向の中心部に向けて突き出た第１突起部５０ａを有する。軸部９１が第１キー孔５４に挿し込まれているとき、第１突起部５０ａは第１キー溝９２ａの内側又は第２キー溝９２ｂの内側に位置する。軸部９１が軸周りに回転することによって、第１突起部５０ａは第１キー溝９２ａ及び第２キー溝９２ｂの一方から他方へ相対的に移動する。これによれば、第１突起部５０ａが第１キー溝９２ａの内側に位置するとき、軸部９１は軸方向に移動することができる。また、第１突起部５０ａが第２キー溝９２ｂの内側に位置するとき、軸部９１は軸方向に移動することができない。
【００７６】
また、第４ロック部は、第２キー孔３１３の内壁から第２キー孔３１３の直径方向の中心部に向けて突き出た第２突起部３１ａを有する。軸部９１が第２キー孔３１３に挿し込まれているとき、第２突起部３１ａは第１キー溝９２ａの内側又は第２キー溝９２ｂの内側に位置する。軸部９１が軸周りに回転することによって、第２突起部３１ａは第１キー溝９２ａ及び第２キー溝９２ｂの一方から他方へ相対的に移動する。これによれば、第２突起部３１ａが第１キー溝９２ａの内側に位置するとき、軸部９１は軸方向に移動することができる。また、第２突起部３１ａが第２キー溝９２ｂの内側に位置するとき、軸部９１は軸方向に移動することができない。
【００７７】
また、第１ねじ部６１の外周面には、第１ねじ部６１の軸方向に延設された第１溝部６１１ｂが形成されている。第１ロック部は、第１溝部６１１ｂの内側に配置されることにより第１ねじ部６１の軸周りの回転をロックする第１ロックピン６３を有する。第１ロックピン６３は、共通キー９が第１キー孔５４に挿し込まれると、第１溝部６１１ｂの内側から外側へ移動する。これによれば、共通キー９が第１キー孔５４に挿し込まれることによって、第１ねじ部６１に対する回転ロックを解除することができる。また、軸部９１の外周面には、第２キー溝９２ｂよりも周方向の長さが短い第３キー溝９２ｃが形成されている。第２ロック部は、第３キー溝９２ｃの内側に配置されることにより軸部９１の軸周りの回転をロックする第２ロックピン６５を有する。第２ロックピン６５は、第１ねじ部６１がアース部材９９を締め付けると、第３キー溝９２ｃの内側から外側へ移動する。これによれば、第１ねじ部６１がアース部材９９を締め付けることによって、共通キー９に対する回転ロックを解除することができる。
【００７８】
また、第２ねじ部４１の外周面には、第２ねじ部４１の軸方向に延設された第２溝部４１１ｂが形成されている。第３ロック部は、第２溝部４１１ｂの内側に配置されることにより第２ねじ部４１の軸周りの回転をロックする第３ロックピン４３を有する。第３ロックピン４３は、共通キー９が第２キー孔３１３に挿し込まれると、第２溝部４１１ｂの内側から外側へ移動する。これによれば、共通キー９が第２キー孔３１３に挿し込まれることによって、第２ねじ部４１に対する回転ロックを解除することができる。
【００７９】
また、共通キー９の少なくとも一部は磁石からなる。これによれば、共通キー９を第１筐体５０又は第２筐体３１に磁力で取り付けることができる。
【００８０】
本実施形態では、第１ロックピン６３及び弾性部材６４が本発明の「第１ロック部」に対応している。第１突起部５０ａと、第２ロックピン６５及び弾性部材６６が本発明の「第２ロック部」に対応している。第３ロックピン４３及び弾性部材４４が本発明の「第３ロック部」に対応している。第２突起部３１ａ及びロック片３８２が本発明の「第４ロック部」に対応している。
【００８１】
以上、本発明の実施形態について説明したが、本発明は、上記実施形態に限定されるものではない。例えば、上記実施形態では、ベース部４３１、６３１の輪の形状としてそれぞれ矩形を示したが、矩形に限定されるものではなく、円形等でもよい。また、弾性部材４４、６４、６６、３８５として圧縮コイルばねをそれぞれ示したが、圧縮コイルばねに限定されるものではなく、ゴムでもよい。さらに、頭部９３は、磁石部９５だけでなく、作業者が把持するための把持部９４も磁石であってよい。つまり、頭部９３全体が磁石であってもよい。
【符号の説明】
【００８２】
１  絶縁棒
３  フック部
５  端子部
７  アース線
９  共通キー
１１  絶縁棒本体
３１  第２筐体
３１ａ  第２突起部
３２  開閉フック
３３  第１回転軸
３４  第１アーム
３５  第２回転軸
３６  第２アーム
３７  第３回転軸
３８  第３アーム
４０  開閉機構
４１  第２ねじ部
４２  昇降部
４３  第３ロックピン
４４  弾性部材
４８  フック片
４９ａ  第１受部
４９ｂ  第２受部
５０  第１筐体
５０ａ  第１突起部
５１  第１部位
５２  第２部位
５３  第３部位
５４  第１キー孔
５５  第３空間部
６１  第１ねじ部
６２  押圧板
６３  第１ロックピン
６４  弾性部材
６５  第２ロックピン
６６  弾性部材
７１  フック片
７１ａ  開閉部
９１  軸部
９１ａ  一端
９１ｂ  他端
９２ａ  第１キー溝
９２ｂ  第２キー溝
９２ｃ  第３キー溝
９２ｄ  第４キー溝
９３  頭部
９４  把持部
９５  磁石部
９７  フック受部
９７ａ  貫通孔
９９  アース部材
１００  短絡接地器具
１９９  電線路
３１１  貫通孔
３１２  ねじ孔
３１２ａ  ねじ溝
３１３  第２キー孔
３１４  第１空間部
３１５  第２空間部
３１７  開口部
３１８  位置規制部
３４１  スリット
３５１  軸部
３５２  回転板
３６１  スリット
３８１  第１部位
３８２  ロック片
３８３  第２部位
３８４  ガイド部
３８５  弾性部材
３８６  連結部
３８６ａ  第１棒状部材
３８６ｂ  第２棒状部材
４１１  胴部
４１１ａ  ねじ山
４１１ｂ  第２溝部
４１１ｃ  軸心
４３１  ベース部
４３３  第１先端部
４３５  第２先端部
４３７  保持部
５１１  貫通孔
５１３  ねじ孔
５１３ａ  ねじ溝
５１５  第１空間部
５２１  開口部
５２３  第２空間部
６１１  胴部
６１１ａ  ねじ山
６１１ｂ  第１溝部
６１１ｃ  軸心
６１３  頭部
６３１  ベース部
６３３  第１先端部
６３５  第２先端部
６３７  保持部
６５１  頭部
６５３  ピン本体
ＢＷ  離隔方向
ＦＷ  近接方向
【図１】
2018057247.tif 000003
【図２】
2018057247.tif 000004
【図３】
2018057247.tif 000005
【図４】
2018057247.tif 000006
【図５】
2018057247.tif 000007
【図６】
2018057247.tif 000008
【図７】
2018057247.tif 000009
【図８】
2018057247.tif 000010
【図９】
2018057247.tif 000011
【図１０】
2018057247.tif 000012
【図１１】
2018057247.tif 000013
【図１２】
2018057247.tif 000014
【図１３】
2018057247.tif 000015
【図１４】
2018057247.tif 000016
【図１５】
2018057247.tif 000017
【図１６】
2018057247.tif 000018
【図１７】
2018057247.tif 000019
【図１８】
2018057247.tif 000020
【図１９】
2018057247.tif 000021
【図２０】
2018057247.tif 000022
【図２１】
2018057247.tif 000023
【図２２】
2018057247.tif 000024
【図２３】
2018057247.tif 000025
【図２４】
2018057247.tif 000026
【図２５】
2018057247.tif 000027
【図２６】
2018057247.tif 000028
【図２７】
2018057247.tif 000029
【図２８】
2018057247.tif 000030
【図２９】
2018057247.tif 000031
【図３０】
2018057247.tif 000032
【図３１】
2018057247.tif 000033
【図３２】
2018057247.tif 000034
【図３３】
2018057247.tif 000035
【図３４】
2018057247.tif 000036
【図３５】
2018057247.tif 000037
【図３６】
2018057247.tif 000038